(57)【特許請求の範囲】
【請求項１】
両端部に端子部材を有する電池収納部が並列に複数個設けられ、該各電池収納部にそれぞれ１本の乾電池が収納される乾電池収納装置であって、
前記各電池収納部のうちの隣接する３つの電池収納部において、中間部の電池収納部は、長手方向において同一配置にある両側の電池収納部に対し、長手方向にずれて配置され、
前記各電池収納部のうちの隣接する２つの電池収納部において、一方の電池収納部のプラス側端子部材は、他方の電池収納部のマイナス側端子部材までの長さが乾電池の長さよりも長く設定されていることを特徴とする乾電池収納装置。
【請求項２】
両端部に端子部材を有する電池収納部が並列に複数個設けられ、該各電池収納部にそれぞれ１本の乾電池が収納される乾電池収納装置であって、
前記各電池収納部のうちの隣接する３つの電池収納部において、中間部の電池収納部は、長手方向において同一配置にある両側の電池収納部に対し、長手方向にずれて配置され、
前記各電池収納部のうちの隣接する２つの電池収納部において、一方の電池収納部のプラス側端子部材は、他方の電池収納部のマイナス側端子部材までの長さが乾電池の長さよりも短く設定されていることを特徴とする乾電池収納装置。
【請求項３】
前記電池収納部は上下２段に配置され、前記電池収納部の長手方向の同一側においては、上側又は下側の電池収納部の端子部材のいずれか一方がプラス側端子部材で、他方がマイナス側端子部材であるところの請求項１又は２記載の乾電池収納装置。
【発明の詳細な説明】
【０００１】
【発明の属する技術分野】
本発明は、複数の乾電池が並列に収納される乾電池収納装置に関する。
【０００２】
【従来の技術】
従来より、両端部に端子部材を有する複数の電池収納部が並列に設けられ、該各電池収納部に乾電池を収納することで、複数個の乾電池を収納できる乾電池収納装置は知られている。
【０００３】
ところで、かかる乾電池収納装置において、乾電池を上下二段に縦積みにして収納する場合は、一般に、配線をできるだけ簡単にするために、電池収納部の長手方向の同一側においては、上側又は下側の電池収納部の端子部材のいずれか一方がプラス側、他方がマイナス側とされる。即ち、図５に示すように、上側の乾電池ａがプラスとなる側では下側の乾電池ａの電極がマイナス、上側の乾電池ａがマイナスとなる側では下側の乾電池ａの電極がプラスとなり、そして、それらを流れる電流は、各電池収納部の端子部材を介して、Ｐ１からＰ１２と順に流れるようになっている。
【０００４】
【発明が解決しようとする課題】
しかしながら、上述したように乾電池ａが配列された乾電池収納装置ｂの場合には、図６に示すように、同一の電池収納部ｃのプラス側端子部材ｄとマイナス側端子部材ｅとに対し乾電池ａのプラス側及びマイナス側電極を接触させる必要があるが、誤って乾電池ａを斜めに挿入しても、乾電池ａの各電極が、隣接する電池収納部ｃのプラス側端子部材ｄとマイナス側端子部材ｅ（例えば点Ｐ１０１，Ｐ１０２）に接触することになるので、ループ状に導通して、短絡するおそれがある。
【０００５】
本発明はかかる点に鑑みてなされたもので、乾電池が誤って収納され、短絡するのを防止した乾電池収納装置を提供することを日的とする。
【０００６】
【課題を解決するための手段】
本発明は、乾電池を誤って挿入した場合には、端子部材に触れて短絡しないように、電池収納部の形状を改良したものである。
【０００７】
本発明は、両端部に端子部材を有する電池収納部が並列に複数個設けられ、該各電池収納部にそれぞれ１本の乾電池が収納される乾電池収納装置を前提として、前記各電池収納部のうちの隣接する３つの電池収納部において、中間部の電池収納部は、長手方向において同一配置にある両側の電池収納部に対し、長手方向にずれて配置され、前記各電池収納部のうちの隣接する２つの電池収納部において、一方の電池収納部のプラス側端子部材は、他方の電池収納部のマイナス側端子部材までの長さが乾電池の長さよりも長くあるいは短く設定されている。
【０００８】
このように、各電池収納部のうちの隣接する２つの電池収納部において、一方の電池収納部のプラス側端子部材から他方の電池収納部のマイナス側端子部材までの長さが乾電池の長さよりも長くあるいは短く設定されることで、隣接する電池収納部における異なる端子部材間の長さが乾電池の長さと異なり、乾電池を誤って斜めに収納しても、乾電池の各電極が、隣接する電池収納部のプラス側端子部材とマイナス側端子部材に接触せず、そのことを感じる使用者の注意が喚起される。よって、乾電池が誤って収納されるのが防止される。
【０００９】
また、前記各電池収納部のうちの隣接する３つの電池収納部において、中間部の電池収納部が、長手方向において同一配置にある両側の電池収納部に対して長手方向においてずれて配置されるという簡単な構造で、前述した構造が実現される。
【００１０】
前記電池収納部は上下２段に配置され、前記電池収納部の長手方向の同一側においては、上側又は下側の電池収納部の端子部材のいずれか一方がプラス側端子部材で、他方がマイナス側端子部材であり、誤って乾電池を斜めに挿入するのが回避され、短絡が防止される。
【００１１】
【発明の実施の形態】
以下、本発明の実施の形態を図面に基づいて説明する。
【００１２】
図１は乾電池収納装置の平面図である。乾電池収納装置１は、乾電池２が着脱可能に収納される電池収納部３，３，・・・が上下２段に３つずつ配置され、前記電池収納部３の長手方向の左側においては、下側の電池収納部の端子部材（図示せず）がプラス側で、上側の電池収納部の端子部材４，４，４がマイナス側となっている。また、右側においては、下側の電池収納部の端子部材（図示せず）がマイナス側で、上側の電池収納部３Ａ，３Ｂ，３Ｃの端子部材５，５，５がプラス側となっている。
【００１３】
また、中間部の電池収納部３Ｂのみが、両側の電池収納部３Ａ，３Ｃに対し、該収納部の長手方向に対し長さΔＬだけずれて配置され、それによって、一方の電池収納部３Ａ，３Ｂの端子部材５，５（プラス側）から他方の電池収納部３Ｂの端子部材４（マイナス側）までの長さが乾電池２の長さよりも長くあるいは短くなるように設定されている。
【００１４】
よって、隣接する端子部材４，５間の長さが乾電池２の長さと異なることとなり、乾電池２を斜めに挿入した場合には、乾電池２の各電極２ａ，２ｂと端子部材４，５との間に隙間ΔＳ１，Ｓ２が生じたり、全く挿入できないこととなり、乾電池２をうまく装着できないので、使用者の注意が喚起され、乾電池２を誤って収納するのが防止され、また、短絡するということもない。
【００１５】
また、上記実施の形態においては、中間部の電池収納部３Ｂを両側の電池収納部３Ａ，３Ｂに対して長手方向にずらせているが、図２に示すように、各電池収納３Ｅ，３Ｆ，３Ｇを順にずらせて階段状に配置するようにしても、同様の効果が得られる。即ち、一側に位置する電池収納部３Ｅに対し、中間に位置する電池収納部３Ｆを図２において左側にΔＬだけずらせ、さらに、他側に位置する電池収納部３Ｇを図２において左側にさらにΔＬだけずらせるようにしている。この場合も、前述した実施の形態と同様に、隣接する電池収納部のプラス側とマイナス側の端子部材４，５間の長さが乾電池２の長さと異なることとなり、乾電池２を斜めに挿入しようとしても、乾電池２をうまく挿入できないので、使用者の注意が喚起され、乾電池を誤って収納するのが防止される。
【００１６】
また、上記実施の形態では、電池収納部３が上下２段に３つずつ配置したものに適用したものであるが、図３及び図４に示すように、電池収納部が上下２段に２つずつ配置したものにも同様に適用することができる。即ち、図３に示すように、一側に位置する電池収納部３Ｈに対し、他側に位置する電池収納部３Ｊを図３において左側にΔＬだけずらせることにより、乾電池２を斜めに挿入した場合には、乾電池２の電極と端子部材４，５との間に隙間ΔＳ３，ΔＳ４が生じ、乾電池２をうまく装着できないで、使用者の注意が喚起され、乾電池を誤って収納するのが防止される。また、図４に示すように、一側に位置する電池収納部３Ｋ，３Ｌに対し、他側に位置する電池収納部を図４において右側にΔＬだけずらせたりする場合も同様である。
【００１７】
【発明の効果】
本発明は、以上説明したような形態で実施され、以下に述べるような効果を奏する。
【００１８】
各電池収納部のうちの隣接する３つの電池収納部において、中間部の電池収納部を、長手方向において同一配置にある両側の電池収納部に対し、長手方向にずれて配置し、前記各電池収納部のうちの隣接する２つの電池収納部において、一方の電池収納部のプラス側端子部材を、他方の電池収納部のマイナス側端子部材までの長さを乾電池の長さよりも長くあるいは短く設定しているので、前記端子部材間の長さが乾電池長さと異なることとなり、乾電池を誤って収納するのを防止することができる。
【００１９】
また、前記各電池収納部のうちの隣接する３つの電池収納部において、中間部の電池収納部を、長手方向において同一配置にある両側の電池収納部に対し、長手方向においてずらせて配置しているので、簡単な構造で、乾電池を誤って収納するのを防止することができる。
【００２０】
さらに、前記電池収納部は上下２段に配置され、前記電池収納部の長手方向の同一側においては、上側又は下側の電池収納部の端子部材のいずれか一方がプラス側で、他方がマイナス側である場合には、誤って乾電池を斜めに挿入するのを回避することができ、短絡を防止することができる。
【図面の簡単な説明】
【図１】  本発明に係る乾電池収納装置の平面図である。
【図２】  他の実施の形態についての図１と同様の図である。
【図３】  他の実施の形態についての図１と同様の図である。
【図４】  他の実施の形態についての図１と同様の図である。
【図５】  従来の乾電池収納装置の平面図である。
【図６】  乾電池の配列の説明図である。
【符号の説明】
１                乾電池収納装置
２                乾電池
３（３Ａ〜３Ｌ）  電池収納部
４                マイナス側端子部材
５                プラス側端子部材
【図１】
0004021961.tif 000002
【図２】
0004021961.tif 000003
【図３】
0004021961.tif 000004
【図４】
0004021961.tif 000005
【図５】
0004021961.tif 000006
【図６】
0004021961.tif 000007